(57)【特許請求の範囲】
【請求項１】
徘徊者が所持し間欠的に高周波電波を送出する発信機（１）と、前記高周波電波を受信し、前記高周波電波を一定の第１の時間（Ｔ１）以上受信しなかったときに発報する受信機（２）とからなる徘徊者監視装置において、
前記受信機に、前記発信機からの前記高周波電波を受信できる範囲を確認するにあたり、前記発信機から送出された前記高周波電波を前記受信機で受信する都度、短時間消灯する通電表示灯（２７）を備えたことにより前記確認を容易にし、前記通電表示灯の消灯制御を停止する切替器（ＳＷ１）を設けたことを特徴とする徘徊者監視装置。
【請求項２】
前記受信機に電源供給する電源回路（２６）の電源供給が遮断され、その後復帰したときリセット信号を出力し、前記リセット信号が入力されることにより前記切替器を前記通電表示灯の消灯制御に復帰させるための電源リセット回路（２５）を備えたことを特徴とする請求項１記載の徘徊者監視装置。
【発明の詳細な説明】
【０００１】
【発明の属する技術分野】
本発明は、徘徊者監視装置に係わり、特に、徘徊者が所持し間欠的に高周波電波を送出する発信機と、高周波電波を受信し高周波電波を一定時間受信しなかったときに発報する受信機とを備える徘徊者監視装置に関するものである。
【０００２】
【従来の技術】
近時、徘徊者が家（住戸）の中や介護施設内の所定エリア内に居るか否かを監視し、徘徊者の不在を介護者に報知する徘徊者監視装置が開発されている。
【０００３】
図３は、この種の徘徊者監視装置のブロック図を示している。同図において、従来の徘徊者監視装置は、徘徊者が所持する発信機１００と、介護者側に設置される受信機２００とを備えている。
【０００４】
受信機２００は、発信機１００から送出される高周波電波を受信して信号を出力する高周波受信回路２１０と、高周波受信回路２１０から送出されるエリア監視信号の有無を検出し、徘徊者が所定エリア内に存在しているか否かを判断する制御回路２２０と、制御回路２２０の制御に基づいて、徘徊者が所定エリア内に不在であることを介護者に報知する発報部２３０と、制御回路２２０の制御に基づいて、徘徊者が所定エリア内に不在であることを表示するエリア外通報表示灯２４０と、介護者が徘徊者を伴なって外出するような場合に、受信機２００の徘徊監視状態を停止するための信号を制御回路２２０に送出する監視解除スイッチ２５０と、受信機２００の各回路に電源を供給する電源回路２６０と、受信機２００の通電時に常時点灯している通電表示灯２７０とを備えている。
【０００５】
このような構成の徘徊者監視装置において、発信機１００からは高周波電波が間欠的に送信されている。
【０００６】
ここで、徘徊者が所定エリア内に存在している場合は、発信機１００から間欠的に送信されてくる高周波電波は、受信機２００の高周波受信回路２１０で受信され、高周波受信回路２１０からエリア監視信号が出力される。そして、制御回路２２０がエリア監視信号を検出すると、制御回路２２０は、徘徊者が所定エリア内に存在していると判断し、徘徊者の監視状態を維持するように制御する。
【０００７】
一方、徘徊者が所定エリア内に不在である場合は、発信機１００から間欠的に送信される高周波電波は、受信機２００の高周波受信回路２１０で受信されず、従って、この場合には、高周波受信回路２１０から制御回路２２０へエリア監視信号が送出されないことになる。そうすると、制御回路２２０によって、徘徊者が所定エリア内に不在であると判断され、制御回路２２０から不在報知信号が発報部２３０へ送出され、これにより、発報部２３０を構成する拡声スピーカから鳴動音が発報され、徘徊者が所定エリア内に不在であることが介護者に報知される。
【０００８】
一方、介護者が徘徊者を伴って外出するような場合は、介護者が監視解除スイッチ２５０の切替接点ｐ１を常開接点ｐ２側に切り替えて、監視解除信号を制御回路２２０へ送出する。そして、制御回路２２０が監視解除信号を検出すると、制御回路２２０によって、徘徊者が介護者の近傍に居ると判断され、制御回路２２０から監視解除制御信号がエリア外通報表示灯２４０へ送出され、これにより、エリア外通報表示灯２４０が消灯され、徘徊者の監視状態が停止される。
【０００９】
ところで、このような構成の徘徊者監視装置においては、受信機２を設置するにあたり、発信機１からの高周波電波を受信できる範囲を確認する必要があるが、かかる電波受信範囲を確認する方法としては、徘徊者監視装置を構成する発信機１００をエリア外にまで持参し、一定時間経過後に、発報部２３０の拡声スピーカから鳴動させる方法が知られている。
【００１０】
【発明が解決しようとする課題】
しかしながら、このような電波受信範囲の確認方法においては、発報部からの発報時間を長くすると、受信機の設定に長時間を要し、これと反対に、発報部からの発報時間を短くすると、発報回数が多くなることから、却って騒音障害となり、また誤発報するおそれがあるという難点があった。
【００１１】
本発明は、このような難点を解消するためになされたもので、受信機を設置するにあたり、電波受信範囲の確認を短時間に行ない得る徘徊者監視装置を提供することを目的とする。
【００１２】
【課題を解決するための手段】
上記の目的を達成するため、本発明による徘徊者監視装置は、徘徊者が所持し間欠的に高周波電波を送出する発信機と、高周波電波を受信し、高周波電波を一定の第１の時間以上受信しなかったときに発報する受信機とからなる徘徊者監視装置において、受信機に、発信機からの高周波電波を受信できる範囲を確認するにあたり、発信機から送出された高周波電波を受信機で受信する都度、短時間消灯する通電表示灯を備えたことにより前記確認を容易にし、通電表示灯の消灯制御を停止する切替器を設けたことを特徴としている。
【００１３】
また、本発明の徘徊者監視装置は、前記受信機に電源供給する電源回路の電源供給が遮断され、その後復帰したときリセット信号を出力し、リセット信号が入力されることにより切替器を通電表示灯の消灯制御に復帰させるための電源リセット回路を備えたことを特徴としている。
【００１４】
これらの本発明の徘徊者監視装置によれば、発信機から送出された高周波電波を受信機で受信する都度、通電表示灯が短時間消灯することから、高周波電波の受信可能範囲を短時間で確認することができる。
【００１５】
また、本発明の徘徊者監視装置は、徘徊者が所持し間欠的に高周波電波を送出する発信機と、高周波電波を受信し、高周波電波を一定の第１の時間以上受信しなかったときに発報する受信機とからなり、発信機からの高周波電波を受信できる範囲を確認するにあたり、一定の第１の時間より短い第２の時間で発報するように設定可能な徘徊者監視装置において、前記設定で第２の時間に設定したときに、その設定された短い時間より更に短い第３の時間で短時間点灯し、第２の時間後に点滅して発報するエリア外通報表示灯を備えたことを特徴としている。
【００１６】
本発明の徘徊者監視装置によれば、短い時間で短時間点灯し、所定時間経過後に点滅するエリア外通報表示灯を備えていることから、前述の発明よりも、より一層短い時間で、高周波電波の受信可能範囲を確認することができる。
【００１７】
更に、本発明の徘徊者監視装置は、発信機からの高周波電波を受信機で受信しなくなっても受信機で発報しないように監視解除設定する監視解除スイッチを設け、第２の時間で発報するように設定中で、かつ監視解除中には、発信機からの高周波電波を受信しないときに第３の時間経過する都度短時間点灯するエリア外通報表示灯を備えたことを特徴としている。
【００１８】
本発明の徘徊者監視装置によれば、発信機からの高周波電波を受信しないときに第３の時間経過する都度、短時間点灯するエリア外通報表示灯受信機を備えていることから、前述の発明よりも、更に短い時間で、高周波電波の受信可能範囲を確認することができ、また、発報部から鳴動音が発報されないことから、設定作業者は騒音の影響を受けずに高周波電波の受信範囲を確認することができる。
【００１９】
【発明の実施の形態】
以下、本発明による徘徊者監視装置の好ましい実施例を、図面を参照して詳述する。
【００２０】
図１は、本発明による徘徊者監視装置の一実施例を示すブロック図を示している。同図において、本発明の徘徊者監視装置は、徘徊者が所持する発信機１と、介護者側に設置される受信機２とを備えている。
【００２１】
受信機２は、発信機１から送出される高周波電波を受信して信号を出力する高周波受信回路２１と、高周波受信回路２１から送出されるエリア監視信号の有無を検出し、徘徊者がエリア内に存在するか否かを判断する制御回路２２と、制御回路２２の制御に基づいて、徘徊者が所定エリア内に不在であることを介護者に報知する発報部２３と、制御回路２２の制御に基づいて、徘徊者が所定エリア内に不在であることを表示するエリア外通報表示灯２４と、介護者が徘徊者を伴なって外出するような場合に、受信機２の徘徊監視状態を停止するための信号を制御回路２２に送出する監視解除スイッチＳＷ２と、受信機２の各回路に電源を供給する電源回路２６と、受信機２の通電時は常時点灯し、発信機１から送出された高周波電波を受信機２で受信する都度、短時間消灯する通電表示灯２７と、通電表示灯２７を点灯・短時間消灯制御するトランジスタＴｒと、受信機２の通電表示灯２７の消灯制御を停止する切替器ＳＷ１と、電源回路２６が遮断され、その後復帰したときに、切替器ＳＷ１に消灯制御を停止するリセット信号を出力する電源リセット回路２５と、所定時間経過するとオン状態を呈する第１〜第３のタイマー回路２８ａ〜２８ｃと、第１、第２のＯＲ回路ＯＲ１、ＯＲ２と、第１〜第３のタイマー回路２８ａ〜２８ｃを連動して切替える設定スイッチＳＷ３とを備えている。
【００２２】
ここで、高周波受信回路２１は、制御回路２２に接続され、この制御回路２２は、それぞれ、発報部２３および第２のＯＲ回路ＯＲ２の入力側に接続され、この第２のＯＲ回路ＯＲ２の出力側には、エリア外通報表示灯２４が接続されている。
【００２３】
また、制御回路２２は、トランジスタＴｒのベース側に接続され、このトランジスタＴｒのコレクタ側は通電表示灯２７に接続され、エミッタ側は接地されている。一方、電源回路２６は、電源リセット回路２５を介して切替器ＳＷ１に接続され、この切替器ＳＷ１の常開接点ａ１（以下、「第１の常開接点ａ１」という。）は通電表示灯２７に接続され、切替接点ｂ１（以下、「第１の切替接点ｂ１」という。）は接地されている。
【００２４】
更に、制御回路２２は、それぞれ、監視解除スイッチＳＷ２の一方のメーク接点ｃ１（以下、「第１のメーク接点ｃ１」という。）、第１、第２のタイマー回路２８ａ，２８ｂの入力側および第１のＯＲ回路ＯＲ１の入力側に接続され、第１のタイマー回路２８ａの出力側は、設定スイッチＳＷ３の一方の常閉接点ｄ１（以下、「第１の常閉接点ｄ１」という。）に、第２のタイマー回路２８ｂの出力側は、設定スイッチＳＷ３の一方の常開接点ａ２（以下、「第２の常開接点ａ２」という。）に、第１のＯＲ回路ＯＲ１の出力側は、第３のタイマー回路２８ｃにそれぞれ接続されており、この第３のタイマー回路２８ｃの出力側は、設定スイッチＳＷ３の他方の常開接点ａ３（以下、「第３の常開接点ａ３」という。）および第１のＯＲ回路ＯＲ１の入力側に接続されている。また、設定スイッチＳＷ３の一方の切替接点ｂ２（以下、「第２の切替接点ｂ２」という。）は、監視解除スイッチＳＷ２の他方のメーク接点ｃ２（以下、「第２のメーク接点ｃ２」という。）に、他方の切替接点ｂ３（以下、「第３の切替接点ｂ３」という。）は、第２のＯＲ回路ＯＲ２の入力側にそれぞれ接続されている。
【００２５】
次に、このように構成された本発明の徘徊者監視装置の動作について説明する。最初に、通常の使用状態における徘徊者監視装置の動作について述べる。先ず、受信機２の通電時においては、通電表示灯２７は常時点灯しており、トランジスタＴｒのオン・オフに連動して短時間消灯するように設定されている。また、監視解除スイッチＳＷ２はオン状態に設定され、第1のタイマー回路２８ａは、一定の第１の時間Ｔ１、例えば、３２秒を経過するとタイムオーバー信号を制御回路２２に出力する。
【００２６】
一方、発信機１からは、図２（ａ）に示すように、例えば、４秒間隔で高周波電波が間欠的に送信されており、この間欠的に送信される高周波電波は、図２（ｂ）に示すように、受信機２の高周波受信回路２１で受信され、高周波受信回路２１からエリア監視信号が出力される。そして、制御回路２２がエリア監視信号を検出すると、制御回路２２は、発信機１が所定エリア内に存在していると判断し、制御回路２２から消灯制御信号を出力する。この消灯制御信号によりトランジスタＴｒがオフ状態を呈し、図２（ｃ）に示すように、通電表示灯２７が一瞬消灯（以下、「短時間消灯」という。）する。
【００２７】
ここで、受信機２の高周波受信回路２１が、一定の第１の時間Ｔ１（例えば、３２秒）経過しても発信機１からの高周波電波を受信しない場合においては、第1のタイマー回路２８ａからタイムオーバー信号を制御回路２２に出力する。そうすると、制御回路２２によって、発信機１が所定エリア内に存在していないと判断され、制御回路２２から不在報知信号が発報部２３へ送出され、これにより、図２（ｄ）に示すように、発報部２３を構成する拡声スピーカから鳴動音が発報され、発信機１が所定エリア内に不在であることが設定作業者に報知される。なお、高周波電波の受信によって制御回路２２から第１のタイマー回路２８ａに第１のリセット信号Ｒ１が送出されると、この第１のリセット信号Ｒ１により、第１のタイマー回路２８ａがゼロにリセットされ、再びタイムカウントを開始する。
【００２８】
以上の通電表示灯２７を備える徘徊者監視装置においては、通電表示灯２７における短時間消灯を確認することにより、高周波電波の受信範囲を確認することができる。
【００２９】
次に、切替器ＳＷ１の切替操作により第１の常開接点ａ１が閉成されると、トランジスタＴｒのオン・オフに関係なく、通電表示灯２７が常時点灯する。また、電源回路２６の電源供給の遮断後この電源回路２６を復帰すると、電源リセット回路２５からリセット信号が出力され、このリセット信号が切替器ＳＷ１に入力される。これにより、切替器ＳＷ１の第１の常開接点ａ１が開成され、この第１の常開接点ａ１の開成により、トランジスタＴｒのオン・オフに連動して、通電表示灯２７が点灯・短時間消灯することになる。
【００３０】
以上の切替器ＳＷ１を備える徘徊者監視装置においては、受信機設置後において、通電表示灯２７の短時間消灯を不快と感ずる使用者は、当該切替器ＳＷ１を切替操作するのみで、この不快感を解消することができる。また、電源リセット回路２５を備える徘徊者監視装置においては、使用者が切替器ＳＷ１の切替操作を忘れ、かつ通電表示灯２７の短時間消灯の停止状態を維持した状態で受信機２の設置位置を変更した場合において、通電表示灯２７の短時間消灯の動作状態が復旧することで、使用者が自動的に受信機２の受信範囲が変化していることを確認することができる。
【００３１】
続いて、発信機が所定エリア内に存在しない場合における受信機の動作を確認するための、いわゆるテスト状態における徘徊者監視装置の動作について述べる。
【００３２】
先ず、監視解除スイッチＳＷ２をオンすると共に、設定スイッチＳＷ３を操作して、第２の常開接点ａ２および第３の常開接点ａ３を閉成する。これにより、第２のタイマー回路２８ｂは、第２の時間Ｔ２、例えば、１６秒を経過するとタイムオーバー信号を制御回路２２に出力し、また、第３のタイマー回路２８ｃは、第３の時間Ｔ３、例えば、８秒を経過するとタイムオーバー信号を制御回路２２に出力する。
【００３３】
このように設定された徘徊者監視装置においては、第３の時間Ｔ３（例えば８秒）を経過しても、高周波電波を受信しないため、第３のタイマー回路２８ｃからタイムオーバー信号がテスト表示信号としてエリア外通報表示灯２４へ送出され、これにより、図２（ｆ）に示すように、エリア外通報表示灯２４が一瞬点灯（以下、「短時間点灯」という。）する。また、第２の時間Ｔ２の経過後にエリア外通報表示灯２４が点滅する。更に、これと共に、制御回路２２からテスト表示信号が発報部２３へ送出され、これにより、図２（ｅ）に示すように、発報部２３を構成する拡声スピーカから鳴動音が発報され、発信機１が所定エリア内に不在であることが設定作業者に報知される。なお、高周波電波の受信によって制御回路２２から第２、第３のタイマー回路２８ｂ、２８ｃに第２、第３のリセット信号Ｒ２、Ｒ３が送出されと、この第２、第３のリセット信号Ｒ２、Ｒ３により、第２、第３のタイマー回路２８ｂ、２８ｃがそれぞれゼロにリセットされ、それぞれ再びタイムカウントを開始する。
【００３４】
以上のテスト状態における徘徊者監視装置においては、第１の時間Ｔ１よりも短い第２の時間Ｔ２で発報を確認でき、また、第２の時間Ｔ２よりも更に短い第３の時間Ｔ３でエリア外通報表示灯２４の短時間点灯を確認できることから、前述の通常状態における徘徊者監視装置よりも、より一層短時間で高周波電波の受信範囲を確認することができる。
【００３５】
最後に、監視解除状態における徘徊者監視装置の動作について述べる。
【００３６】
先ず、監視解除スイッチＳＷ２をオフして、監視解除モードに設定する。次に、設定スイッチＳＷ３を操作して、第２の常開接点ａ２および第３の常開接点ａ３を閉成する。これにより、第３のタイマー回路２８ｃは、一定の第３の時間Ｔ３、例えば、８秒を経過するとタイムオーバー信号を制御回路２２に出力する。この場合、監視解除スイッチＳＷ２がオフ状態に設定されていることから、第２のタイマー回路２８ｂは動作しないことなる。
【００３７】
このように設定された徘徊者監視装置においては、受信機２の高周波受信回路２１が、第３の時間Ｔ３経過しても、発信機１からの高周波電波を受信しないため、第３のタイマー回路２８ｃからタイムオーバー信号がテスト表示信号として第２のＯＲ回路ＯＲ２へ送出されると共にループ回路を経由して第１のＯＲ回路ＯＲ１へ送出される。そして、第２のＯＲ回路ＯＲ２から、テスト表示信号がエリア外通報表示灯２４に入力されてエリア外通報表示灯２４が短時間点灯し、また、第１のＯＲ回路ＯＲ１から、テスト表示信号が第３のタイマー回路２８ｃに入力されて第３のタイマー回路２８ｃがゼロにリセットされ、再びタイムカウントを開始する。これにより、図２（ｇ）に示すように、エリア外通報表示灯２４が第３の時間Ｔ３を経過する都度短時間点灯する。また、この場合、制御回路２２からテスト表示信号が発報部２３へ送出されないことから、発報部２３を構成する拡声スピーカから鳴動音は発報されないことになる。なお、高周波電波の受信によって制御回路２２から第２、第３のタイマー回路２８ｂ、２８ｃに第２、第３のリセット信号Ｒ２、Ｒ３が送出されると、この第２、第３のリセット信号Ｒ２、Ｒ３により、第２、第３のタイマー回路２８ｂ、２８ｃがゼロにリセットされ、再びタイムカウントを開始する。
【００３８】
以上の監視解除状態における徘徊者監視装置においては、エリア外通報表示灯２４の短時間点灯を確認することで、第２の時間Ｔ２よりも更に短い時間Ｔ３で高周波電波の受信範囲を確認することができる。また、発報部２３から鳴動音が発報されないことから、設定作業者は騒音の影響を受けずに高周波電波の受信範囲を確認することができる。
【００３９】
【発明の効果】
以上の説明から明らかなように、本発明の徘徊者監視装置によれば、通電表示灯の短時間消灯を確認することで、高周波電波の受信範囲を確認することができる。また、テストモード状態における徘徊者監視装置においては、エリア外通報表示灯の短時間点灯を確認することで、第１の時間Ｔ１よりも短い第２の時間Ｔ２で高周波電波の受信範囲を確認することができる。更に、監視解除状態における徘徊者監視装置においては、エリア外通報表示灯の短時間点灯を確認することで、第２の時間Ｔ２よりも更に短い第３の時間Ｔ３で、高周波電波の受信可能範囲を確認することができる上、騒音の影響を受けずに高周波電波の受信可能範囲を確認することができる。
【図面の簡単な説明】
【図１】  本発明による徘徊者監視装置の一実施例を示すブロック図。
【図２】  図２（ａ）は本発明における発信機から送出される高周波電波の波形図、図２（ｂ）は本発明における受信機で受信される高周波電波の波形図、図２（ｃ）は本発明の通電表示灯における短時間消灯の状況を示す波形図、図２（ｄ）は本発明の受信機の通常状態における発報部の発報状況を示す波形図、図２（ｅ）は本発明の受信機のテスト状態における発報部の発報状況を示す波形図、図２（ｆ）は本発明のエリア外通報表示灯における短時間点灯の状況を示す波形図、図２（ｇ）は本発明のエリア外通報表示灯における短時間点灯の状況を示す信号の波形図
【図３】  従来の徘徊者監視装置のブロック図。
【符号の説明】
１……発信機
２……受信機
２４……エリア外通報表示灯
２５……電源リセット回路……
２６……電源回路
２７……通電表示灯
ＳＷ１……切替器
ＳＷ２……監視解除スイッチ
Ｔ１……一定の第１の時間
Ｔ２……Ｔ１より短い第２の時間
Ｔ３……Ｔ２より更に短い第３の時間
【図１】
0004685230.tif 000002
【図２】
0004685230.tif 000003
【図３】
0004685230.tif 000004